(57)【特許請求の範囲】
【請求項１】
かさがラーメン玉より大きい六面体型包装容器本体（１）と、包装容器本体（１）を覆う容器カバー（２）、底面（４）が包装容器本体（１）内の底面に付けられた折畳み式容器を含み、
前記折畳み式容器は包装容器本体（１）内に折畳まれた状態で収容されており、別に包装されたラーメン玉、味付け及び具材が前記包装容器本体（１）内部の折畳まれた状態の折畳み式容器上に配置されて、前記容器カバー（２）で包装容器本体（１）を覆った全体外部に一層の熱収縮フィルムで密閉されており、
前記折畳み式容器は、使用時に包装容器本体（１）内で展開されると、包装容器本体（１）より高くなる六面体型筒体（１４）である圧縮式ラーメン容器。
【請求項２】
前記容器カバー（２）に弧形切り欠き開口（３）が設置されたことを特徴とする請求項１に記載の圧縮式ラーメン容器。
【請求項３】
ラーメン玉の体積に応じた包装容器本体（１）、及び容器カバー（２）を製造する第１段階、
折畳み式容器を製作して折畳んだ状態で前記折畳み式容器の底面（４）を前記包装容器本体 (１)内の底面に付着させる第２段階、
別に包装されたラーメン玉、味付け及び具材を前記包装容器本体（１）内部の折畳まれた状態の折畳み式容器の上に配置する第３段階、
前記容器カバー（２）を閉めて熱収縮フィルムで包装容器全体を密閉する第４段階、を順に行うことを特徴とする圧縮式ラーメン容器の製作方法。
【請求項４】
前記折畳み式容器の製作方法は、
前記折畳み式容器を全体が平面になるように広げたとき、長方形である容器底面（４）、容器底面（４）の２個の長辺と相互連結された前側壁（５）と後側壁（６）、及び容器底面（４）の２個の短辺と相互連結された左側壁（７）と右側壁（８）を含んで、容器底面（４）の４個のコーナーの後側壁（６）と右側壁（８）を連結する第１支持羽（９）、後側壁（６）と左側壁（７）を連結する第２支持羽（１０）、前側壁（５）と左側壁（７）を連結する第３支持羽（１１）、前側壁（５）と右側壁（８）を連結する第４支持羽（１２）をさらに含んで、前記前側壁（５）と後側壁（６）の高さは底面（４）の幅と同じであるか、または小さくて、前記折畳み式容器を全体平面になるように展開した時には、前記前側壁（５）と相互連結された横方向支持羽（１３）をさらに含んで、
前記容器底面（４）の２個の短辺を折畳み線にしてそれぞれ左側壁（７）と第２支持羽（１０）、第３支持羽（１１）、及び右側壁（８）と第１支持羽（９）、第４支持羽（１２）を内側に折って底面（４）が位置した平面に付着されるようにした後、前記容器底面（４）の２個の長辺を折畳み線にして内側に前側壁（５）と後側壁（６）を折って、前側壁（５）の上端部を前側壁（５）の中間の折畳み線で外側方向に折って、横方向支持羽（１３）を後側壁（６）の上面に加圧して前記底面（４）の大きさに相当する折畳み式容器を形成することを特徴とする、請求項３に記載の圧縮式ラーメン容器の製作方法。
【発明の詳細な説明】
【技術分野】
【０００１】
本発明は、インスタント食品の保管容器に関するものであり、特に、ラーメンを盛る圧縮容器及びその製作方法に関するものである。
【背景技術】
【０００２】
社会及び生産力が発達するに連れて、インスタント食品はその便宜性によって人類生活領域で人々の幅広い愛を受けているし、特に、容器ラーメンはお湯だけあればすぐ食べることができるから人々が特別に好んでいる。
【０００３】
しかし、既存の容器ラーメンは大多数が器形態または筒形態の容器内に包装されないラーメン玉と別に包装された乾燥スープ、液状味付け、具材などを入れたものである。
【０００４】
また、包装形態を見れば、容器の材質はすべてその形態を維持することができる一定な厚さを具備し、内部に防水コーティングをした紙を使用し、食べやすく断熱が可能な二重壁構造でなされているが、ラーメン容器の外包装は通常とても薄いＰＰフィルムを使用している。
【０００５】
したがって、既存の容器ラーメンには下のような問題点が存在する。
【０００６】
既存の容器ラーメンは包装されないラーメン玉と別に包装された味付けなどを一緒に包装するため病原菌、寄生虫などさまざまな有害物質に汚染されることがある。
【０００７】
また、既存の容器ラーメンは調理器具なしに食べることができるように具材が一緒に包装されることによって内部の大部分(約２/３)の空間が空いているため運送時に多くの空間を占めるので、運送、物流などの面で費用が増加するようになって、これにより消費者販売価格も上昇するようになる。
【０００８】
また、既存の容器ラーメンは炊事道具がなくても直ちに食べることができるインスタント食品であり、外出、旅行などの面で便宜を提供するが、容器形態を維持するために一般にコップやどんぶり形態を使用するためにかさが大きくなって携帯するのに不便な問題がある。
【０００９】
また、このようにかさが大きくなることによって運送量が増加すれば、運送過程で温暖化の主犯である二酸化炭素の排出量も増加するため、かさの減少は不可避な課題である。
【００１０】
一方で、容器ラーメンは野外で食べる時、使用者が熱によってやけどをすることを防止するように断熱が必要で、このために二重包装の形態を使っているので、かさを減少させることに限界がある。
【００１１】
また、既存の容器ラーメンは大多数がコップやどんぶりの形態の円錐型容器を使用するため生産性が低下するという問題がある。
【００１２】
言い替えれば、既存の容器ラーメンの容器内部に貯蔵された食品の容量対比容器のかさが大きくなることによって製品運送、保管、展示、携帯が不便で、消費者らは容器のかさが大きくなることによる物流費用の増加によって不必要な費用の支出が生ずるようになる問題がある。
【発明の概要】
【発明が解決しようとする課題】
【００１３】
本発明は、前記のような既存技術の問題点を解決するためのものであり、圧縮式ラーメン容器及びその製作方法を提供することを目的とする。
【課題を解決するための手段】
【００１４】
本発明は密閉される圧縮式ラーメンパッケージング容器を提供する。
【００１５】
本発明はかさがラーメン玉より少し大きい六面体型包装容器本体と、包装容器本体を覆う容器カバーと、底面が包装容器の底面に付けられた折畳み式容器を含んで、前記折畳み式容器は開かれた包装容器本体より高い直六面体形状の筒であり、包装容器本体の内部に設置された折畳み式容器上面には別に包装されたラーメン玉、味付け及び具材が置かれて、前記容器カバーで包装容器本体を覆って、その全体外面を一層の熱収縮フィルムで密封する。
【００１６】
前記容器カバーを簡単に引き離すために、前記容器カバーには弧形切り欠き開口が設置されることが望ましい。
【００１７】
前記容器カバーは包装容器本体と一体で設置されることが望ましい。
【００１８】
前記圧縮式ラーメンパッケージング方法は、
第１段階：ラーメン玉の体積に応じた前記包装容器本体及び容器カバーを製造する、
第２段階：前記折畳み式容器を製作して、前記折畳み式容器の底面を前記包装容器本体内の底面に付着させる、
第３段階：別に包装されたラーメン玉、味付け及び具材を前記包装容器本体内部の折畳み式容器上面におく、
第４段階：前記容器カバーを閉めて熱収縮フィルムで包装容器全体を密封する、を含む。
【００１９】
前記折畳み式容器の製作方法は以下の通りである。
【００２０】
前記折畳み式容器を全体が平面になるように広げると、長方形の容器底面、容器底面の２個の長辺と相互連結された前側壁と後側壁及び容器底面の２個の短辺と相互連結された左側壁と右側壁を含んで、容器底面の４個のコーナーの後側壁と右側壁を連結する第１支持羽、後側壁と左側壁を連結する第２支持羽、前側壁と左側壁を連結する第３支持羽、前側壁と右側壁を連結する第４支持羽をさらに含んで、前記前側壁と後側壁の高さは底面の幅と同じであるか小さくなっており、前記折畳み式容器を前記六面体型筒体に展開した後形成された４個の支持羽は、筒体をさらによく支持して密閉性を保障して漏水を防止する。
【００２１】
まず、前記容器底面の２個の短辺を折畳み線にしてそれぞれ左側壁と第２支持羽、第３支持羽、及び右側壁と第１支持羽、第４支持羽を内側に折って底面が位置した平面に付着されるようにした後、前記容器底面の２個の長辺を折畳み線にして内側に折って前側壁と後側壁が底面に付着されるようにする。最後に前記底面の大きさに相当する折畳み式容器を形成する。
【発明の効果】
【００２２】
本発明は、下記の積極的な効果がある。
【００２３】
本発明はかさがラーメン玉より少し大きい包装容器本体を使用するため、かさが小さく占用空間が少なくて運送と携帯しやすいことに加え、包装容器内のラーメンも別に包装されるため、すなわち、ラーメンと味付けスープが直接的に接触しないため細菌の成長を防止することができる。
【００２４】
また、本発明は使用が便利で簡単であり、特に、折畳み式容器は包装容器本体に付着された状態で展開されれば、その４個の側面がすべて包装容器本体内の４個の側面に着いて支持される。このような設置方式によって包装容器本体の４個の側面が、折畳み式容器が開かれた後、補助的に支持作用をするようになって、折畳み式容器の筒体形状をより安定させることができ、また、使用時には包装容器本体に断熱作用ができて、支えて持ったりすることも容易になる。
【００２５】
また、本発明による前記折畳み式容器は折る、または広げる方法が簡単で操作が便利である。
【図面の簡単な説明】
【００２６】
【図１】本発明による包装容器本体の斜視図である。
【図２】本発明による容器カバーの斜視図である。
【図３】本発明による容器カバーで包装容器本体を覆った後の全体斜視図である。
【図４】本発明による折畳み式容器を折る方法の説明図である。
【図５】本発明による折畳み式容器を広げる方法の説明図である。
【図６】本発明による折畳み式容器が包装容器本体内で広がれた後の斜視図である。
【発明を実施するための形態】
【００２７】
以下、図面を参照して本発明の望ましい実施例についてさらに詳細に説明する。
【００２８】
図１から図６を参照して本発明の圧縮式ラーメン容器の望ましい実施例を説明する。
【００２９】
本発明の圧縮式ラーメン容器は、図１に示した、かさがラーメン玉より少し大きい六面体型包装容器本体１、及び図２に示した、包装容器本体１を覆う容器カバー２、図４に示した、底面４が包装容器本体１の底面に付けられた折畳み式容器を含んでおり、前記折畳み式容器が包装容器本体１内部で展開された形状は、図６に示すように、包装容器本体１より高い直六面体模様の筒体１４であり、別に包装されたラーメン玉、味付け及び具材が前記包装容器本体１内部の折畳み式容器上面に置かれて、図３に示したように、前記容器カバー２で包装容器本体１を覆って、その全体外面を一層の熱収縮フィルムで密封して作られる。
【００３０】
図２に示したように、前記容器カバー２を簡単に引き離すため、前記容器カバー２には弧形切り欠き開口３が設置されることが望ましい。
【００３１】
前記圧縮式ラーメン容器の製作方法は順番に進行される下記段階を含む。
【００３２】
第１段階：ラーメン玉の体積に応じて前記包装容器本体１、及び容器カバー２を製造する。
【００３３】
第２段階：前記折畳み式容器を製作して、前記折畳み式容器の底面４を前記包装容器本体内の底面に付着させる。
【００３４】
第３段階：別に包装されたラーメン玉、味付け及び具材を前記包装容器本体１内部の折畳み式容器上面に配置する。
【００３５】
第４段階：前記容器カバー２を閉めて熱収縮フィルムで包装容器全体を密閉する。
【００３６】
このようなラーメン容器製作過程のうちで前記折畳み式容器の製作方法は以下の通りである。
【００３７】
図４(a)に示したように、前記折畳み式容器は、全体が平面になるように広げると、長方形をなす容器底面４、容器底面４の２個の長辺と相互連結された前側壁５と後側壁６及び容器底面４の２個の短辺と相互連結された左側壁７と右側壁８を含んで、容器底面の４個のコーナーの、後側壁６と右側壁８を連結する第１支持羽９、後側壁６と左側壁７を連結する第２支持羽１０、前側壁５と左側壁７を連結する第３支持羽１１、前側壁５と右側壁８を連結する第４支持羽１２をさらに含んで、前記前側壁５と後側壁６の高さは底面４の幅と同じであるか、または小さくて、前記折畳み式容器を前記六面体型筒体１４に展開した後形成された４個の支持羽は、筒体をさらによく支持して密閉性を保障して漏水を防止する。図４（ａ）の斜線部は接着領域である。
【００３８】
前記折畳み式容器を全体が平面になるように広げたとき、前側壁５と相互連結された横方向支持羽１３をさらに含むことが望ましい。
【００３９】
まず、図４（ｂ）に示したように、前記容器底面４の２個の短辺を折畳み線にしてそれぞれ左側壁７と第２支持羽１０、第３支持羽１１、及び右側壁８と第１支持羽９、第４支持羽１２を内側に折って底面４上に位置した平面に接するようにした後、前記容器底面４の２個の長辺を折畳み線にして内側方向に前側壁５の下端部と後側壁６を折って、同時に前側壁５の上端部を前側壁５の中間の折畳み線で外側方向に折る。
【００４０】
右側方向から見た折る過程の説明図は図４(ｃ)に示した通りであり、横方向支持羽１３を後側壁６を上から押して底面に付着されるようにする。
【００４１】
最後に図４（ｄ）に示したように、前記底面の大きさに相当する折畳み式容器を形成する。
【００４２】
前記折畳み式容器の展開過程は図５に示した通りであり、折畳み段階とは逆の手順で、まず前側壁５と後側壁６を展開した後、左側壁７と右側壁８を展開して、４個の側面の支持羽を対応する点線に沿って、対応する左右側壁の外側に向かって折る。図５(ａ)に示したように、すべて折った後、接着領域を利用して各支持羽を対応した左右側壁に付着させ、最後に図５(ｂ)に示したような六面体型筒体１４を形成する。
【００４３】
本発明の使用過程は以下の通りである。
【００４４】
まず、熱収縮フィルムをとり除いて、容器カバーを開いて別に包装されたラーメン玉、味付け及び具材を取り出した後、前記折畳み式容器を展開する。
【００４５】
実際には、展開過程で折畳み式容器は包装容器本体１内部で展開されてその展開方法は前記の通りである。
【００４６】
包装容器本体１内部で展開される構造説明図は、図６に示した通りである。
【００４７】
展開後にラーメン玉を取り出して六面体型筒体に入れた後、味付けスープとお湯を入れて何分間か待てば完成し、食事が可能である。
【００４８】
また、折畳み式容器と包装容器本体が共に付着されたものであるため筒体で展開された後に、４個の側面がすべて包装容器内の４個の側面に着いて合わせるようになって、展開後の筒体を支持する作用が得られるだけでなく、筒体がより安定し、使用する時に断熱作用が得られるので、手で支えて持ったりすることも容易になる。
【００４９】
以上、本発明の望ましい実施例を通じて本発明の方法及び要旨に対して説明したが、本発明は前記した実施例に限定されるものではなく、後述する特許請求の範囲だけではなく、この特許請求範囲と均等なまたはこれから等価的に変更されたすべての範囲は本発明の思想の範疇に属するであろう。
【符号の説明】
【００５０】
１  包装容器本体
２  容器カバー
３  弧形切り欠き開口
４  容器底面
５  前側壁
６  後側壁
７  左側壁
８  右側壁
９  第１支持羽
１０  第２支持羽
１１  第３支持羽
１２  第４支持羽
１３  横方向支持羽
１４  六面体型筒体
【図１】
0006384684.tif 000002
【図２】
0006384684.tif 000003
【図３】
0006384684.tif 000004
【図４】
0006384684.tif 000005
【図５（ａ）】
0006384684.tif 000006
【図５（ｂ）】
0006384684.tif 000007
【図６】
0006384684.tif 000008